(57)【特許請求の範囲】
【請求項１】
リール本体に回転可能に支持されたスプールと、
リール本体に装着され、上記スプールを駆動するスプールモータと、
リール本体に変位操作可能に装着されたモータ出力調節体と、
リール本体に装着され、上記モータ出力調節体の変位操作に応じてスプールモータのモータ出力を増減調節するモータ出力調節手段と、
上記モータ出力調節体とは別個にリール本体に装着され、当該モータ出力調節体の変位操作で押圧される押しボタン式のスイッチとを備え、
上記スプールモータは、モータ出力調節体による上記スイッチの押圧操作により停止し、押圧解除により駆動されることを特徴とする魚釣用電動リール。
【発明の詳細な説明】
【０００１】
【発明の属する技術分野】
本発明は、リール本体に装着したスプールモータのモータ出力を調節可能とした魚釣用電動リールの改良に関する。
【０００２】
【従来の技術】
船釣り等、一般に深場の魚層を対象とした魚釣りを行う場合、魚釣用電動リール（以下、「電動リール」という）が広く使用されている。
従来周知のようにこの電動リールは、リール本体に装着したスプールモータの駆動でスプールを回転させて釣糸の巻取りを行うもので、釣果の向上を図るため、昨今、リール本体に装着したモータ出力調節体の操作でスプールモータのモータ出力を調節可能とした電動リールが特開平６−７０６０号公報等に開示されている。
【０００３】
この電動リールは、ハンドルが取り付くリール本体の一側部に、レバー形状のモータ出力調節体をハンドルの巻取り方向と同方向へ回転可能に装着すると共に、当該モータ出力調節体の操作に応じスプールモータのモータ出力を連続的に増減させるポテンショメータ等のモータ出力調節手段（変速手段）をリール本体に装着し、モータ出力調節体の操作でモータ出力をモータ停止状態から最大値（０〜１００％）まで連続的に増減可能としたもので、この電動リールによれば、モータ出力調節体の操作でスプールモータの停止とモータ出力の調節（スプールの回転速度の調節）を容易且つ迅速に行えるため、釣場の状況に応じた円滑な魚釣り操作ができることとなった。
【０００４】
【発明が解決しようとする課題】
このように上記電動リールは、リール本体に装着した単一のモータ出力調節体に、モータ出力の調節機能とスプールモータのＯＮ／ＯＦＦスイッチの機能を兼用させたことで、釣場の状況に応じたモータ停止とモータ出力調節の複合的な操作が可能である。
【０００５】
しかし乍ら、この電動リールは斯かる利点を有する反面、実釣時にモータ出力調節体の機能が故障してしまうと、モータ出力の調節と共にスプールモータのＯＮ／ＯＦＦ制御が不能となり、この結果、例えばスプールモータの駆動をＯＦＦできずに電動リールとしての使用が不能となって、給電コードを外し手動リールとして使用せざるを得なくなったり、スプールモータの駆動回路をＯＮできず、スプールモータによるスプールの自動巻取り駆動操作が行えなくなるといった課題が残されていた。
【０００６】
本発明は斯かる実情に鑑み案出されたもので、上述した電動リールに改良を加え、モータ出力調節体によるモータ停止とモータ出力調節の複合的な操作を可能とすると共に、実釣時にモータ出力調節体の機能に故障が発生しても、モータ出力調節機能以外のモータ駆動制御を可能として、電動リールの故障対応を含めたスプールモータの幅広い実使用を図った電動リールを提供することを目的とする。
【０００７】
【課題を解決するための手段】
斯かる目的を達成するため、請求項１に係る電動リールは、リール本体に回転可能に支持されたスプールと、リール本体に装着され、上記スプールを駆動するスプールモータと、リール本体に変位操作可能に装着されたモータ出力調節体と、リール本体に装着され、上記モータ出力調節体の変位操作に応じてスプールモータのモータ出力を増減調節するモータ出力調節手段と、上記モータ出力調節体とは別個にリール本体に装着され、当該モータ出力調節体の変位操作で押圧される押しボタン式のスイッチとを備え、上記スプールモータは、モータ出力調節体による上記スイッチの押圧操作により停止し、押圧解除により駆動されることを特徴とする。
【０００９】
（作用）
請求項１に係る電動リールによれば、モータ出力調節体によるスイッチの押圧操作でスプールモータが停止し、押圧解除によりスプールモータが駆動して、モータ出力調節体の変位操作でモータ出力が調節されることとなる。
【００１０】
また、モータ出力調節手段によるモータ出力の調節機能が故障しても、モータ出力調節体によるスイッチの押圧操作でスプールモータが停止し、押圧解除によりスプールモータが駆動するので、モータ出力調節体によるスプールモータのＯＮ／ＯＦＦ操作によって釣糸の巻取り操作を始め、モータ駆動を利用した糸送り操作やモータ駆動による寸動巻取り等が可能となり、また、モータ駆動による電動クラッチ機構の切換制御を行う電動リールにあっては斯かる切換制御が可能となる。
【００１２】
【発明の実施の形態】
以下、本発明の実施形態を図面に基づき詳細に説明する。
【００１３】
図１乃至図３は請求項１に係る電動リールの一実施形態を示し、図に於て、１はリール本体３のフレーム、５，７は当該フレーム１の左右に取り付く側板で、両側板５，７間にスプール軸を介してスプール９が回転可能に支持されている。
スプール９は、スプールモータ１１の巻取り駆動やハンドル１３の巻取り操作で回転して釣糸が巻回されるようになっており、スプールモータ１１はスプール９前方のフレーム１に一体成形されたモータケース内に収納されている。
【００１４】
また、図１及び図２に示すように側板７の上部前方に設けた筒状部１５には、スプールモータ１１のモータ出力を増減してスプール９の回転速度を調節するパワーレバー（モータ出力調節体）１７が、ハンドル１３の回転方向と同方向（図３中、矢印Ａ，Ｂ方向）へ所定の角度（約９０°〜１２０°）に亘って操作可能に装着されており、パワーレバー１７は筒状部１５に内蔵されたポテンショメータ（モータ出力調節手段）に連結されている。
【００１５】
そして、リール本体３上部の制御ボックス１９に内蔵された制御手段は、パワーレバー１７の矢印Ａ方向への操作量に応じたパルス信号のデューティ比としてスプールモータ１１への電流通電時間率を可変制御して、スプールモータ１１のモータ出力を最低出力から最大出力まで連続的に駆動制御し、また、パワーレバー１７の矢印Ｂ方向への操作に伴い、スプールモータ１１への電流通電時間率を可変制御して、モータ出力を最大出力から最低出力まで連続的に駆動制御するようになっている。
【００１６】
一方、筒状部１５の外周には、図３の二点鎖線で示すパワーレバー１７の矢印Ｂ方向への移動が規制された位置、即ち、既述した特開平６−７０６０号公報の電動リールに於けるパワーレバーのモータ出力停止位置に、押しボタン式のモータＯＮ／ＯＦＦスイッチ（切換えスイッチ）２１が装着されている。
また、図２に示すようにパワーレバー１７の摘み部１７ａの下部には、パワーレバー１７を図３の二点鎖線で示す位置まで矢印Ｂ方向へ戻した処でモータＯＮ／ＯＦＦスイッチ２１を押圧操作する傾斜面２３が形成されており、斯様に傾斜面２３によってモータＯＮ／ＯＦＦスイッチ２１が押圧操作されると、外部電源からスプールモータ１１への電力供給が遮断されてスプールモータ１１が停止するようになっている。
【００１７】
そして、このスプールモータ停止状態からパワーレバー１７を矢印Ａ方向へ操作すると、傾斜面２３によるモータＯＮ／ＯＦＦスイッチ２１の押圧操作が解除されて、モータＯＮ／ＯＦＦスイッチ２１は図示しない弾性部材の復元力で図３の実線で示す状態に復帰し、これによりスプールモータ１１と外部電源とが電気的に接続されてスプールモータ１１が駆動する。
【００１８】
この後、パワーレバー１７の矢印Ａ方向への操作に伴い、上述したようにスプールモータ１１のモータ出力が最低出力から最大出力まで連続的に駆動制御される。そして、実釣時にポテンショメータの故障でパワーレバー１７によるモータ出力の調節機能が故障しても、上述の如くパワーレバー１７の矢印Ｂ方向への操作によるモータＯＮ／ＯＦＦスイッチ２１の押圧操作でスプールモータ１１が停止し、矢印Ａ方向へのパワーレバー１７の操作によるモータＯＮ／ＯＦＦスイッチ２１の押圧解除で、スプールモータ１７が一定の速度で駆動するようになっている。
【００１９】
その他、図１に示すように側板７の後方には、従来と同様、当該側板７内に装着したクラッチ機構のクラッチレバー２５が装着されており、当該クラッチレバー２５の操作でクラッチ機構がＯＮ／ＯＦＦされて、スプール９へのスプールモータ１１やハンドル１３の駆動力が伝達，遮断されるようになっている。
【００２０】
そして、スプール９の一側面にはマグネット２７が装着されると共に、当該マグネット２７の回転軌跡に対向してフレーム１に一対のリードスイッチ２９が装着されており、これらはスプール９の回転方向と回転数を検出する回転検出手段として機能する。そして、リードスイッチ２９は制御ボックス１９内の制御手段に接続されている。
【００２１】
制御手段はマイクロコンピュータからなり、制御手段のＲＯＭには、特開平５−１０３５６７号公報で開示された魚釣用リールと同様の糸長計測プログラムが組み込まれており、制御手段は、リードスイッチ２９から出力されるスプール９の正転，逆転の判定信号をＣＰＵに取り込んで釣糸の繰出しか巻取りかを判定すると共に、リードスイッチ２９から取り込むスプール９の回転パルス信号をアップ・ダウンカウンタでカウントして、この計数値を基にＲＯＭに記憶された糸長計算式をＣＰＵで演算実行するようになっている。
【００２２】
そして、図１に示すように制御ボックス１９の操作パネル３１上には表示器３３が装着されており、ＣＰＵは上述した演算結果を糸長として表示器３３に表示させるようになっている。
従って、釣人は斯かる表示値を確認し乍ら、所定の水深に仕掛けを繰り出すことができ、また、表示値を確認し乍ら、ハンドル１３やパワーレバー１７の操作で釣糸を巻上げることができることとなる。
【００２３】
本実施形態に係る電動リール３５はこのように構成されているから、クラッチレバー２５の操作でクラッチ機構がＯＮ／ＯＦＦされてスプール９が釣糸繰出し状態と釣糸巻取り状態とに切り換わる。そして、クラッチ機構をＯＦＦにし、図示しない給電コードを介して電動リール３５を外部電源に接続した後、パワーレバー１７を図３の二点鎖線で示す位置に操作してスプールモータ１１が停止した状態で仕掛けを繰り出せば、仕掛けの自重で釣糸がスプール９から繰り出され、また、クラッチＯＦＦの状態でパワーレバー１７を図３の二点鎖線で示す位置から矢印Ａ方向へ操作すれば、パワーレバー１７の操作量に応じスプールモータ１１が駆動して糸送りがなされることとなる。
【００２４】
而して、仕掛けの繰出しに伴い釣糸の糸長が計測されて表示器３３に表示され、そして、糸送りを行っている場合にはパワーレバー１７を図３の二点鎖線で示す位置に戻してスプールモータ１１を停止し、例えば仕掛けを水面から５０ｍ繰り出した処でクラッチレバー２５の操作でクラッチ機構をクラッチＯＮに切り換えれば、仕掛けの繰出しが停止する。
【００２５】
この後、魚の当たりが合った場合に、ハンドル１３の巻取り操作で釣糸がスプール９に巻き取られ、また、図３の二点鎖線で示す位置にあるパワーレバー１７を矢印Ａ方向に操作すれば、スプールモータ１１が駆動を開始し、パワーレバー１７の操作量に応じたモータ出力でスプールモータ１１が駆動してスプール９に釣糸が巻き取られることとなる。
【００２６】
また、実釣時にポテンショメータの故障でパワーレバー１７によるモータ出力の調節機能が故障しても、パワーレバー１７の図３の二点鎖線で示す位置への操作によるモータＯＮ／ＯＦＦスイッチ２１の押圧操作でスプールモータ１１が停止し、パワーレバー１７の矢印Ａ方向への操作によるモータＯＮ／ＯＦＦスイッチ２１の押圧解除で、スプールモータ１７が一定の速度で駆動することとなる。
【００２７】
従って、パワーレバー１７によるモータ出力の調節機能が故障しても、パワーレバー１７によるスプールモータ１１のＯＮ／ＯＦＦ操作で釣糸の巻取り操作を始め、モータ駆動を利用した糸送り操作やモータ駆動による寸動巻取り等が可能となる。
このように本実施形態は、パワーレバー１７とは別のモータＯＮ／ＯＦＦスイッチ２１をリール本体３の筒状部１５に装着すると共に、パワーレバー１７の矢印Ａ，Ｂ方向への操作に連動して当該モータＯＮ／ＯＦＦスイッチ２１を押圧操作／押圧解除してスプールモータ１１をＯＮ／ＯＦＦする構成としたので、本実施形態によれば、釣場の状況に応じたモータ停止とモータ出力調節の複合的な微妙な操作が行えると共に、パワーレバー１７によるモータ出力の調節機能が故障しても、パワーレバー１７によってスプールモータ１１の駆動制御が実行できるので、パワーレバー１７によるスプールモータ１１のＯＮ／ＯＦＦ操作によって釣糸の巻取り操作を始め、モータ駆動を利用した糸送り操作やモータ駆動による寸動巻取り等が可能となり、また、モータ駆動による電動クラッチ機構の切換制御を行う電動リールにあっては斯かる切換制御が可能となる等、電動リール３５の故障対応を含めたスプールモータ１１の幅広い実使用が可能となった。
【００３４】
【発明の効果】
以上述べたように、請求項１に係る電動リールによれば、モータ出力調節体によって、釣場の状況に応じたモータ停止とモータ出力調節の複合的な微妙な操作が行えると共に、モータ出力調節体によるモータ出力の調節機能が故障しても、モータ出力調節体の操作でスプールモータの駆動制御が実行できるため、モータ出力調節体によるスプールモータのＯＮ／ＯＦＦ操作によって釣糸の巻取り操作を始め、モータ駆動を利用した糸送り操作やモータ駆動による寸動巻取り等が可能となり、また、モータ駆動による電動クラッチ機構の切換制御を行う電動リールにあっては斯かる切換制御が可能となる等、電動リールの故障対応を含めたスプールモータの幅広い実使用が可能となった。
【図面の簡単な説明】
【図１】  請求項１の一実施形態に係る電動リールの平面図である。
【図２】  図１に示す電動リールの要部平面図である。
【図３】  図１に示す電動リールの要部側面図である。
【符号の説明】
３  リール本体
９  スプール
１１  スプールモータ
１７  パワーレバー
２１  モータＯＮ／ＯＦＦスイッチ
２３  傾斜面
３５  電動リール
【図１】
0004028182.tif 000002
【図２】
0004028182.tif 000003
【図３】
0004028182.tif 000004